(57)【要約】【課題】ランプを消灯することなく、電源配線を利用して、ランプの点灯状態を変更する指令を、点灯装置に入力する。【解決手段】電源検出回路１６０は、直流電源回路１１０が交流電圧を入力しているか否かを検出する。オフ期間計測部１７１は、電源オフ期間の長さを計測する。オフ操作判定部１７２は、電源オフ操作があったか否かを判定する。点灯制御部１７３は、所定の回数の電源オフ操作があった場合に、放電灯ＬＡ（ランプ）の点灯状態を変更する制御信号を生成する。【選択図】図２
2009259542.tif 000002
【特許請求の範囲】
【請求項１】
交流電圧を入力し、入力した交流電圧から直流電圧を生成する直流電源回路と、
上記直流電源回路が生成した直流電圧により充電される平滑コンデンサと、
上記直流電源回路が交流電圧を入力しているか否かを検出する電源検出回路と、
上記電源検出回路が検出した検出結果に基づいて、上記直流電源回路が交流電圧を入力せず、その後、上記直流電源回路が交流電圧を入力した場合に、上記直流電源回路が交流電圧を入力しなかった期間の長さを計測するオフ期間計測部と、
上記オフ期間計測部が計測した期間の長さが所定の範囲内である場合に、一回の電源オフ操作があったと判定するオフ操作判定部と、
上記オフ操作判定部が判定した判定結果に基づいて、所定の期間内に、所定の回数の電源オフ操作があったと判定した場合に、ランプの点灯状態を変更する制御信号を生成する点灯制御部と、
上記点灯制御部が生成した制御信号に基づいて、上記平滑コンデンサに充電された直流電圧から上記ランプに供給する電力を生成する点灯回路とを有することを特徴とする点灯装置。
【請求項２】
上記オフ操作判定部は、上記電源オフ操作を判定する所定の範囲の上限が、上記点灯回路の動作により上記平滑コンデンサに充電された電圧が放電して、所定の電圧になるまでの時間よりも短い時間であることを特徴とする請求項１に記載の点灯装置。
【請求項３】
上記オフ操作判定部は、上記電源オフ操作を判定する所定の範囲の上限が、数１により算出される時間ｔよりも短い時間であることを特徴とする請求項１または請求項２に記載の点灯装置。
【数１】
2009259542.tif 000008
ただし、Ｃは、上記平滑コンデンサの静電容量値。ＶＤＣは、上記直流電源回路が生成する直流電圧の電圧値。ＷＯＵＴは、上記ランプの最大消費電力値。ｅは、自然対数の底。ＶＭＩＮは、上記点灯回路が入力する電圧の、上記ランプの点灯を維持できる最低電圧値。
【請求項４】
上記点灯装置は、上記点灯制御部が変更したランプの点灯状態を記憶する状態記憶部を有し、
上記点灯制御部は、上記電源検出回路が検出した検出結果に基づいて、上記ランプが消灯した後に上記直流電源回路が交流電圧の入力を開始した場合に、上記ランプの点灯状態を、上記状態記憶部が記憶した点灯状態にする制御信号を生成することを特徴とする請求項１乃至請求項３のいずれかに記載の点灯装置。
【請求項５】
請求項１乃至請求項４のいずれかに記載の点灯装置と、上記ランプを接続するランプ接続部とを有することを特徴とする照明器具。
【請求項６】
利用者の操作を入力する操作入力装置と、
上記操作入力装置が入力した利用者の操作に基づいて、所定の時間オフしその後オンする開閉パターンを所定の回数繰り返すスイッチ装置とを有することを特徴とする照明制御装置。
【請求項７】
請求項６に記載の照明制御装置と、
上記照明制御装置のスイッチ装置を介して交流電源と接続し、上記交流電源から交流電圧を入力する請求項５に記載の照明器具とを有することを特徴とする照明制御システム。
【発明の詳細な説明】
【技術分野】
【０００１】
この発明は、放電灯などのランプの点灯状態を変更することができる点灯装置に関する。
【背景技術】
【０００２】
照明器具が消費する電力を抑えるためには、ランプの明るさ（照度）を適切に調整することが有効である。
そのため、調光機能を有する点灯装置がある。
【特許文献１】特開平３−２６９９９６号公報
【発明の開示】
【発明が解決しようとする課題】
【０００３】
調光機能を実現するためには、利用者の調光指令を点灯装置に入力する機能を、点灯装置に付加する必要がある。
調光指令を入力するために専用の配線を設けると、照明器具の設置に手間がかかり、設置コストが高くなる。
電源スイッチの操作により、利用者の調光指令を点灯装置に入力する方式は、操作に時間がかかると、調光指令入力中にランプが消灯してしまう可能性がある。
この発明は、例えば、上記のような課題を解決するためになされたものであり、ランプを消灯することなく、調光指令を点灯装置に入力することを目的とする。
【課題を解決するための手段】
【０００４】
この発明にかかる点灯装置は、
交流電圧を入力し、入力した交流電圧から直流電圧を生成する直流電源回路と、
上記直流電源回路が生成した直流電圧により充電される平滑コンデンサと、
上記直流電源回路が交流電圧を入力しているか否かを検出する電源検出回路と、
上記電源検出回路が検出した検出結果に基づいて、上記直流電源回路が交流電圧を入力せず、その後、上記直流電源回路が交流電圧を入力した場合に、上記直流電源回路が交流電圧を入力しなかった期間の長さを計測するオフ期間計測部と、
上記オフ期間計測部が計測した期間の長さが所定の範囲内である場合に、一回の電源オフ操作があったと判定するオフ操作判定部と、
上記オフ操作判定部が判定した判定結果に基づいて、所定の期間内に、所定の回数の電源オフ操作があったと判定した場合に、ランプの点灯状態を変更する制御信号を生成する点灯制御部と、
上記点灯制御部が生成した制御信号に基づいて、上記平滑コンデンサに充電された直流電圧から上記ランプに供給する電力を生成する点灯回路とを有することを特徴とする。
【発明の効果】
【０００５】
この発明にかかる点灯装置によれば、電源スイッチを短時間オフする電源オフ操作を所定の回数繰り返す操作パターンにより、ランプを消灯することなく、ランプの点灯状態を変更する指令を点灯装置に入力することができるという効果を奏する。
【発明を実施するための最良の形態】
【０００６】
実施の形態１．
実施の形態１について、図１〜図７を用いて説明する。
照明制御システム８５０は、照明器具８００、照明制御装置２００を有する。
【０００７】
図１は、この実施の形態における照明器具８００の外観を示す斜視図である。
照明器具８００は、放電灯（ランプ）を接続するランプソケット８１０とを有し、内蔵する放電灯点灯装置が生成した電圧を、ランプソケット８１０に接続された放電灯ＬＡに印加することにより、放電灯ＬＡを点灯する。
【０００８】
図２は、この実施の形態における照明制御システム８５０の全体構成を示すブロック構成図である。
照明制御装置２００は、商用電源などの交流電源ＡＣから電力の供給を受けて動作する。照明制御装置２００は、利用者の指令を入力し、入力した指令にしたがって、照明器具８００を制御する信号を生成する。
照明制御装置２００は、操作入力装置２１０、制御電源回路２５０、マイコン２７０、スイッチ装置２３０を有する。
【０００９】
操作入力装置２１０は、利用者が照明器具８００に入力したい指令を、簡単な操作で入力する装置である。操作入力装置２１０は、例えば、「１００％点灯」「７５％点灯」「５０％点灯」などの操作に対応する操作ボタンを有し、利用者が操作ボタンを押すことにより、所望の操作を入力する。あるいは、操作入力装置２１０は、赤外線受光部を有し、利用者が赤外線リモコンの操作ボタンを押して、赤外線リモコンが送信した赤外線信号を、赤外線受光部が受信することにより、利用者が所望する操作を入力してもよい。
操作入力装置２１０は、入力した操作を表わす操作信号を生成し、出力する。
【００１０】
制御電源回路２５０は、交流電源ＡＣから交流電圧を入力し、入力した交流電圧から、マイコン２７０を動作させる電源となる制御電源電圧を生成する。
マイコン２７０は、制御電源回路２５０が生成した制御電源電圧を電源として動作し、ＲＯＭ（図示せず）などの記憶装置が記憶したプログラムを実行することにより、操作パターン生成部２７１の機能を実現する。なお、操作パターン生成部２７１は、マイコン２７０がプログラムを実行することにより実現するのではなく、アナログ回路、デジタル回路、アナログデジタル混合回路などにより実現してもよい。
【００１１】
操作パターン生成部２７１は、操作入力装置２１０が生成した操作信号を入力し、入力した操作信号が表わす利用者の操作に基づいて、利用者の操作に対応する所定のパターンのスイッチ開閉信号を生成する。操作パターン生成部２７１が生成するスイッチ開閉信号の開閉パターンは、例えば、短時間（例えば１００ミリ秒〜５００ミリ秒）のオフ期間と、その後のオン期間（例えば、２００ミリ秒）とを何回か繰り返すパターンである。また、操作入力装置２１０が利用者の操作を入力せず操作信号を生成しない場合は、操作パターン生成部２７１は、オン状態を継続するスイッチ開閉信号を生成する。
【００１２】
スイッチ装置２３０は、ソリッドステートリレーなどの半導体式接点や、電磁式リレーなどの機械式接点によるスイッチを有する。スイッチ装置２３０のスイッチは、照明器具８００から見て、交流電源ＡＣと直列に電気接続していて、照明器具８００には、スイッチ装置２３０を介して、交流電源ＡＣから交流電圧が供給される。このため、スイッチ装置２３０がオフになると、照明器具８００に交流電源ＡＣから交流電圧が供給されず、スイッチ装置２３０がオンになると、（電源スイッチＳＷもオンであれば、）照明器具８００に交流電源ＡＣから交流電圧が供給される。
スイッチ装置２３０は、操作パターン生成部２７１が生成したスイッチ開閉信号を入力し、入力したスイッチ開閉信号に基づいて、スイッチを開閉する。
【００１３】
照明器具８００は、照明制御装置２００を介して交流電源ＡＣと接続し、交流電源ＡＣから電力の供給を受けて、ランプソケット８１０に接続された放電灯ＬＡを点灯する。
照明器具８００は、放電灯点灯装置１００を有する。放電灯点灯装置１００は、交流電源ＡＣから交流電圧を入力し、入力した交流電圧から放電灯ＬＡに印加する電圧を生成する。
照明制御装置２００がスイッチ装置２３０をオフにした場合、スイッチ装置２３０がオフである時間が短時間なので、放電灯点灯装置１００は、放電灯ＬＡの点灯を継続する。また、利用者が電源スイッチＳＷをオフにした場合は、電源スイッチＳＷがオフである時間が長時間になるので、放電灯点灯装置１００は、放電灯ＬＡを消灯する。
放電灯点灯装置１００は、放電灯ＬＡを消灯しない短時間の電源オフを利用して、照明制御装置２００からの制御信号を入力する。照明制御装置２００は、所定のパターンにしたがって、照明器具８００の電源をオフすることにより、例えば、放電灯ＬＡの明るさなど放電灯ＬＡの点灯状態を変更する指令を入力し、放電灯点灯装置１００は、電源オフのパターンにしたがって、放電灯ＬＡの点灯状態を変更する。
【００１４】
放電灯点灯装置１００は、直流電源回路１１０、平滑コンデンサＣ２４、インバータ回路１３０、コイルＬ４１、コンデンサＣ４２、コンデンサＣ４３、制御電源回路１５０、電源検出回路１６０、マイコン１７０、不揮発性メモリ１８０を有する。
直流電源回路１１０は、商用電源などの交流電源ＡＣから低周波交流電圧（例えば５０Ｈｚ〜６０Ｈｚ、１００Ｖ〜２５４Ｖ）を入力し、入力した低周波交流電圧から直流電圧（例えば４００Ｖ）を生成する。直流電源回路１１０は、ダイオードブリッジＤＢ、チョークコイルＬ２１、スイッチング素子Ｑ２２、ダイオードＤ２３、昇圧制御回路ＰＦＣを有し、ダイオードブリッジＤＢが低周波交流電圧を全波整流して脈流電圧を生成し、チョークコイルＬ２１、スイッチング素子Ｑ２２、ダイオードＤ２３、昇圧制御回路ＰＦＣからなるアクティブフィルタ回路（昇圧チョッパ回路）が、脈流電圧を昇圧して、直流電圧を生成する。
平滑コンデンサＣ２４は、直流電源回路１１０が生成した直流電圧により充電される。
インバータ回路１３０（点灯回路）は、平滑コンデンサＣ２４に充電された直流電圧を入力し、入力した直流電圧から高周波交流電圧（例えば５０ｋＨｚ〜８０ｋＨｚ）を生成する。インバータ回路１３０は、例えば、スイッチング素子Ｑ３１、スイッチング素子Ｑ３２、ドライブ回路１３５からなるハーフブリッジ回路である。ドライブ回路１３５は、制御信号を入力し、入力した制御信号に基づいて、スイッチング素子Ｑ３１及びスイッチング素子Ｑ３２を交互にオンオフすることにより、高周波交流矩形波電圧を生成する。
コイルＬ４１は、放電灯ＬＡを流れる電流を制限するチョークコイルである。
コンデンサＣ４２は、インバータ回路１３０が生成した高周波交流電圧の直流成分をカットする結合コンデンサである。
コンデンサＣ４３は、放電灯ＬＡ始動時に、コイルＬ４１、コンデンサＣ４２と共振することにより、放電灯ＬＡのフィラメント間に高電圧を発生させ、放電灯ＬＡの放電を開始させる始動コンデンサである。
【００１５】
制御電源回路１５０は、マイコン１７０を動作させる電源となる直流電圧（例えば、５Ｖ）を生成する。制御電源回路１５０は、例えば、ダイオードブリッジＤＢが全波整流した脈流電圧を入力し、入力した脈流電圧を降圧して、直流電圧（以下「制御電源電圧」と呼ぶ。）を生成する。なお、制御電源回路１５０は、放電灯点灯装置１００が交流電源ＡＣから交流電圧を入力しなくなった後も、マイコン１７０が数分間（例えば５分間）程度は動作を続けられるよう、制御電源電圧の生成を続けるものとする。例えば、制御電源回路１５０は、生成した制御電源電圧により充電されるコンデンサを有し、コンデンサに充電された電圧を、マイコン１７０を動作させる電源とする。
【００１６】
電源検出回路１６０は、直流電源回路１１０が交流電圧を入力しているか否かを検出し、検出結果を表わす電源検出信号を生成する。電源検出回路１６０は、例えば、ダイオードブリッジＤＢが全波整流した脈流電圧を入力し、入力した電圧が所定の電圧（以下「電源検出閾値電圧」と呼ぶ。）より高い場合に、直流電源回路１１０が交流電圧を入力していることを表わす電源検出信号（以下「“Ｈ”」と呼ぶ。）を生成し、入力した電圧が電源検出閾値電圧より低い場合に、直流電源回路１１０が交流電圧を入力していないことを表わす電源検出信号（以下「“Ｌ”」と呼ぶ。）を生成する。
【００１７】
マイコン１７０は、制御電源回路１５０が生成した制御電源電圧を電源として動作し、ＲＯＭ（図示せず）などの記憶装置が記憶したプログラムを実行することにより、オフ期間計測部１７１、オフ操作判定部１７２、点灯制御部１７３の機能を実現する。なお、オフ期間計測部１７１、オフ操作判定部１７２、点灯制御部１７３は、マイコン１７０がプログラムを実行することにより実現するのではなく、アナログ回路、デジタル回路、アナログデジタル混合回路などにより実現してもよい。
【００１８】
不揮発性メモリ１８０は、マイコン１７０が書き込んだデータを記憶する。不揮発性メモリ１８０は、放電灯点灯装置１００が交流電源ＡＣから交流電圧を入力しなくなった場合も、記憶したデータを保持する。
状態記憶部１８１は、不揮発性メモリ１８０を用いて、放電灯ＬＡの点灯状態を表わすデータを記憶する。
【００１９】
オフ期間計測部１７１は、電源検出回路１６０が生成した電源検出信号を入力し、入力した電源検出信号が表わす電源検出回路１６０の検出結果に基づいて、電源オフ期間の長さを計測する。電源オフ期間とは、スイッチ装置２３０のオフなどにより、放電灯点灯装置１００が一時的に交流電源ＡＣから交流電圧を入力しなくなった期間のことである。上述したように、放電灯点灯装置１００が交流電源ＡＣから交流電圧を入力しなくなった後も、マイコン１７０は数分間程度動作を続けるので、マイコン１７０の動作が停止するまでの期間よりも電源オフ期間が短ければ、オフ期間計測部１７１は、電源オフ期間の長さを計測できる。
例えば、オフ期間計測部１７１は、電源検出信号が“Ｈ”であるか“Ｌ”であるかを常に監視し、電源検出信号が“Ｈ”から“Ｌ”に変わった場合、経過時間の測定を開始する。オフ期間計測部１７１は、その後も電源検出信号の監視を続け、最大オフ期間（例えば１秒）が経過する前に、電源検出信号が“Ｌ”から“Ｈ”に変わった場合、経過時間の測定を終了して、測定した経過時間を、電源オフ期間の長さとする。「最大オフ期間」とは、電源の遮断が、照明制御装置２００が、指令を入力するために、スイッチ装置２３０をオフしたことによるものであるか、利用者が、放電灯ＬＡを消灯するために、電源スイッチＳＷを操作したことによるものであるかを判定するための閾値となる電源オフ期間の長さである。放電灯点灯装置１００は、電源電圧が入力されなくなってから最大オフ期間が経過するまでは、照明制御装置２００が指令を入力しようとしているのか、利用者が放電灯ＬＡを消灯しようとしているのか判別できないので、放電灯ＬＡの点灯を続ける。したがって、利用者が放電灯ＬＡを消灯しようと思って、電源スイッチＳＷをオフにした場合、最大オフ期間の分、反応が遅れることになる。そのため、最大オフ期間は、最長でも１秒程度に設定することが好ましい。
【００２０】
オフ操作判定部１７２は、オフ期間計測部１７１が計測した電源オフ期間の長さに基づいて、電源オフ操作があったか否かを判定する。電源オフ操作とは、照明制御装置２００がスイッチ装置２３０を所定の開閉パターンにしたがってオンオフする操作のうち、一回のオフのことをいう。スイッチ装置２３０がオフになっている期間は、例えば１００ミリ秒程度である。
電源検出回路１６０が入力する脈流電圧は、放電灯点灯装置１００が入力する低周波交流電圧の周期の半分の周期ごとに０になるので、電源検出回路１６０が出力する電源検出信号は、放電灯点灯装置１００が低周波交流電圧を入力している場合でも、低周波交流電圧の周波数の倍の周波数で、“Ｌ”になる。この場合、電源検出信号が“Ｌ”である期間は短い（例えば１ミリ秒以内）ので、オフ操作判定部１７２は、電源オフ期間の長さに基づいて、電源オフ操作と区別することができる。すなわち、オフ操作判定部１７２は、電源オフ期間の長さが、周期的な“Ｌ”と区別できる程度に長く、最大オフ期間よりも短い所定の範囲（以下「電源オフ操作判定範囲」と呼ぶ。）内（例えば５ミリ秒〜１秒）である場合に、電源オフ操作があったと判定し、電源オフ期間の長さが電源オフ操作判定範囲よりも長い場合には、消灯操作があったと判定し、逆に、電源オフ期間の長さが電源オフ操作判定範囲よりも短い場合には、操作がなかったと判定する。
【００２１】
点灯制御部１７３は、ドライブ回路１３５が入力する制御信号を生成する。ドライブ回路１３５は制御信号に基づいて動作するので、点灯制御部１７３は、制御信号を変化させることにより、ドライブ回路１３５を制御し、放電灯ＬＡの点灯状態を変更する。点灯制御部１７３は、オフ操作判定部１７２が判定した判定結果に基づいて、所定の期間内に、所定の回数（以下「変更操作判定回数」と呼ぶ。）の電源オフ操作があったと判定した場合に、変更操作があったと判定する。
オフ操作判定部１７２が電源オフ操作があったと判定した場合であっても、瞬停（瞬時停電）やサグ（瞬時電圧低下）などにより、電源検出信号が“Ｌ”となった可能性がある。瞬停やサグが発生する期間は例えば数十ミリ秒以内なので、これが電源オフ操作判定範囲内であれば、オフ操作判定部１７２は、電源オフ操作があったと判定する。そこで、電源オフ操作一回ではなく、所定の期間内に複数回の電源オフ操作をして初めて、照明制御装置２００による指令を表わすものとする。変更操作とは、このように電源オフ操作を所定の回数繰り返す操作のことである。点灯制御部１７３は、変更操作があったと判定した場合、放電灯ＬＡの点灯状態（例えば点灯する明るさなど）を変更する制御信号を生成する。
なお、変更操作判定回数は、少なくとも２回以上とする。変更操作判定回数が多ければ、瞬停やサグなどの影響による誤判定の可能性が低くなるが、その分、指令の伝達に時間がかかるので、２〜３回程度が好ましい。
【００２２】
また、点灯制御部１７３は、放電灯ＬＡの点灯状態を変更した場合、変更した点灯状態を表わすデータを、状態記憶部１８１に記憶させる。
点灯制御部１７３は、放電灯ＬＡが消灯している状態で、放電灯点灯装置１００が交流電源ＡＣから交流電圧の入力を開始した場合、状態記憶部１８１が記憶したデータを入力して、入力したデータが表わす消灯前の放電灯ＬＡの点灯状態を取得し、放電灯ＬＡの点灯状態を、消灯前と同じ点灯状態にする制御信号を生成する。これにより、例えば、利用者が、放電灯ＬＡの明るさを調整したのちに消灯した場合、次に放電灯ＬＡを点灯すると、放電灯ＬＡが消灯前と同じ明るさに点灯する。
【００２３】
次に、動作について説明する。
【００２４】
図３は、この実施の形態における放電灯点灯装置１００が操作内容を判定する操作判定処理の流れを示すフローチャート図である。
操作判定処理は、電源投入によりマイコン１７０が動作を開始したときから、電源切断によりマイコン１７０が動作を停止するまでの間、実行される。
【００２５】
電源投入によりマイコン１７０が動作を開始すると、開始判定工程Ｓ６１１から処理を実行する。
開始判定工程Ｓ６１１において、オフ期間計測部１７１は、電源検出回路１６０が生成した電源検出信号を入力する。オフ期間計測部１７１は、入力した電源検出信号に基づいて、電源検出信号が“Ｈ”であるか“Ｌ”であるかを判定する。
電源検出信号が“Ｈ”であると判定した場合、開始判定工程Ｓ６１１を繰り返す。
電源検出信号が“Ｌ”であると判定した場合、測定開始工程Ｓ６１２へ進む。
【００２６】
測定開始工程Ｓ６１２において、オフ期間計測部１７１は、タイマーなどを用いて、電源オフ期間の測定を開始する。
【００２７】
上限判定工程Ｓ６１３において、オフ期間計測部１７１は、測定開始工程Ｓ６１２で測定を開始した電源オフ期間を、最大オフ期間と比較する。
電源オフ期間が最大オフ期間より長い場合、消灯判定工程Ｓ６２１へ進む。
電源オフ期間が最大オフ期間以下である場合、終了判定工程Ｓ６１４へ進む。
【００２８】
終了判定工程Ｓ６１４において、オフ期間計測部１７１は、電源検出回路１６０が生成した電源検出信号を入力する。オフ期間計測部１７１は、入力した電源検出信号に基づいて、電源検出信号が“Ｈ”であるか“Ｌ”であるかを判定する。
電源検出信号が“Ｌ”であると判定した場合、上限判定工程Ｓ６１３に戻る。
電源検出信号が“Ｈ”であると判定した場合、測定終了工程Ｓ６１５へ進む。
【００２９】
測定終了工程Ｓ６１５において、オフ期間計測部１７１は、タイマーなどを用いて、電源オフ期間の測定を終了する。
【００３０】
下限判定工程Ｓ６１６において、オフ操作判定部１７２は、測定終了工程Ｓ６１５で測定を終了した電源オフ期間を、電源オフ操作判定範囲の下限（以下「最小オフ期間」と呼ぶ。）と比較する。
電源オフ期間が最小オフ期間よりも短い場合、開始判定工程Ｓ６１１に戻る。
電源オフ期間が最小オフ期間以上である場合、オフ操作判定工程Ｓ６１７へ進む。
【００３１】
オフ操作判定工程Ｓ６１７において、オフ操作判定部１７２は、一回の電源オフ操作があったと判定し、判定結果を表わすデータを出力する。その後、開始判定工程Ｓ６１１に戻る。
【００３２】
消灯判定工程Ｓ６２１において、オフ操作判定部１７２は、消灯操作があったと判定し、判定結果を表わすデータを出力する。
【００３３】
オン判定工程Ｓ６２２において、オフ期間計測部１７１は、電源検出回路１６０が生成した電源検出信号を入力する。オフ期間計測部１７１は、入力した電源検出信号に基づいて、電源検出信号が“Ｈ”であるか“Ｌ”であるかを判定する。
電源検出信号が“Ｌ”であると判定した場合、オン判定工程Ｓ６２２を繰り返す。なお、オン判定工程Ｓ６２２を繰り返している間に、マイコン１７０の動作を継続できる時間が経過すると、マイコン１７０が動作を停止し、操作判定処理が終了する。
電源検出信号が“Ｈ”であると判定した場合、オフ操作判定部１７２は、点灯操作があったと判定し、判定結果を表わすデータを出力する。その後、開始判定工程Ｓ６１１に戻る。
【００３４】
図４は、この実施の形態における放電灯点灯装置１００が、変更操作があったかを判定する変更操作判定処理の流れを示すフローチャート図である。
【００３５】
操作取得工程Ｓ６３１において、点灯制御部１７３は、操作判定処理でオフ操作判定部１７２が判定結果を出力するのを待ち、オフ操作判定部１７２が出力した判定結果を表わすデータを取得する。
取得したデータが表わす判定結果が、オフ操作があったという内容である場合、測定開始工程Ｓ６３２へ進む。
取得したデータが表わす判定結果が、オフ操作以外の操作があったという内容である場合、その他判定工程Ｓ６３７へ進む。
【００３６】
測定開始工程Ｓ６３２において、点灯制御部１７３は、タイマーなどを用いて、経過時間の測定を開始する。
【００３７】
間隔判定工程Ｓ６３３において、点灯制御部１７３は、測定開始工程Ｓ６３２で測定を開始した経過時間を、所定の時間（以下「操作間隔時間」と呼ぶ。）と比較して、操作間隔時間が経過したか否かを判定する。なお、操作間隔時間が長いと、その間に複数回の瞬停やサグが発生して誤判定する可能性が増えるので、操作間隔時間は、最大オフ時間の三倍以下（すなわち、電源オフ操作と電源オフ操作との間の電源スイッチＳＷをオンにしている期間が、最大オフ時間の二倍以下）であることが好ましい。
操作間隔時間が経過したと判定した場合、操作取得工程Ｓ６３１に戻る。
操作間隔時間が経過していないと判定した場合、操作取得工程Ｓ６３４へ進む。
【００３８】
操作取得工程Ｓ６３４において、点灯制御部１７３は、前回、オフ操作判定部１７２が出力した判定結果を表わすデータを取得した後、オフ操作判定部１７２が新たな判定結果を出力していれば、オフ操作判定部１７２が出力した新たな判定結果を表わすデータを取得する。
オフ操作判定部１７２が新たな判定結果を出力していない場合、間隔判定工程Ｓ６３３に戻る。
オフ操作判定部１７２が新たな判定結果を出力し、取得したデータが表わす判定結果が、オフ操作があったという内容である場合、回数判定工程Ｓ６３５へ進む。
オフ操作判定部１７２が新たな判定結果を出力し、取得したデータが表わす判定結果が、オフ操作以外の操作があったという内容である場合、その他判定工程Ｓ６３７へ進む。
【００３９】
回数判定工程Ｓ６３５において、点灯制御部１７３は、電源オフ操作の繰り返し回数を、変更操作判定回数と比較する。
電源オフ操作の繰り返し回数が変更操作判定回数未満である場合、測定開始工程Ｓ６３２に戻る。
電源オフ操作の繰り返し回数が変更操作判定回数と等しい場合、変更判定工程Ｓ６３６へ進む。
【００４０】
変更判定工程Ｓ６３６において、点灯制御部１７３は、変更操作があったと判定する。その後、変更操作判定処理を終了する。
【００４１】
その他判定工程Ｓ６３７において、点灯制御部１７３は、操作取得工程Ｓ６３１または操作取得工程Ｓ６３４で取得したデータが表わす判定結果と同じ操作があったと判定する。その後、変更操作判定処理を終了する。
【００４２】
図５は、この実施の形態における放電灯点灯装置１００が放電灯ＬＡの点灯消灯を制御する点灯制御処理の流れを示すフローチャート図である。
点灯制御処理は、電源投入によりマイコン１７０が動作を開始してから、電源切断によりマイコン１７０が動作を停止するまでの間、実行される。
【００４３】
電源投入により、マイコン１７０が動作を開始すると、予熱工程Ｓ６４１から処理を実行する。
予熱工程Ｓ６４１において、点灯制御部１７３は、放電灯ＬＡのフィラメントを予熱するよう指示する制御信号（以下「“予熱”」と呼ぶ。）を生成し、出力する。これにより、ドライブ回路１３５は、予熱周波数の高周波交流電圧を生成し、放電灯ＬＡのフィラメントが予熱される。
予熱終了判定工程Ｓ６４２において、点灯制御部１７３は、予熱工程Ｓ６４１で制御信号“予熱”を出力してから、放電灯ＬＡのフィラメントが十分に暖まるのに必要な所定の時間が経過したか否かを判定する。
所定の時間が経過していないと判定した場合、予熱終了判定工程Ｓ６４２を繰り返す。
所定の時間が経過したと判定した場合、始動工程Ｓ６４３へ進む。
【００４４】
始動工程Ｓ６４３において、点灯制御部１７３は、放電灯ＬＡを始動するよう指示する制御信号（以下「“始動”」と呼ぶ。）を生成し、出力する。これにより、ドライブ回路１３５は、始動周波数の高周波交流電圧を生成し、放電灯ＬＡが放電を開始し、点灯する。
【００４５】
点灯状態取得工程Ｓ６４４において、点灯制御部１７３は、状態記憶部１８１が記憶した、消灯前の放電灯ＬＡの点灯状態を表わすデータを取得する。
取得したデータが表わす点灯状態が高出力点灯である場合、高出力点灯工程Ｓ６４５へ進む。
取得したデータが表わす点灯状態が中出力点灯である場合、中出力点灯工程Ｓ６４７へ進む。
取得したデータが表わす点灯状態が低出力点灯である場合、低出力点灯工程Ｓ６４９へ進む。
【００４６】
高出力点灯工程Ｓ６４５において、点灯制御部１７３は、放電灯ＬＡを高出力で点灯するよう指示する制御信号（以下「“高出力点灯”」と呼ぶ。）を生成し、出力する。これにより、ドライブ回路１３５は、高出力点灯周波数の高周波交流電圧を生成し、放電灯ＬＡが一番明るく点灯する。状態記憶部１８１は、放電灯ＬＡの点灯状態が高出力点灯であることを表わすデータを記憶する。
【００４７】
変更操作判定工程Ｓ６４６において、点灯制御部１７３は、上述した変更操作判定処理をして、操作内容を判定する。
消灯操作があったと判定した場合、消灯工程Ｓ６５１へ進む。
変更操作があったと判定した場合、中出力点灯工程Ｓ６４７へ進む。
【００４８】
中出力点灯工程Ｓ６４７において、点灯制御部１７３は、放電灯ＬＡを中出力で点灯するよう指示する制御信号（以下「“中出力点灯”」と呼ぶ。）を生成し、出力する。これにより、ドライブ回路１３５は、中出力点灯周波数の高周波交流電圧を生成し、放電灯ＬＡが少し暗く点灯する。状態記憶部１８１は、放電灯ＬＡの点灯状態が中出力点灯であることを表わすデータを記憶する。
【００４９】
変更操作判定工程Ｓ６４８において、点灯制御部１７３は、上述した変更操作判定処理をして、操作内容を判定する。
消灯操作があったと判定した場合、消灯工程Ｓ６５１へ進む。
変更操作があったと判定した場合、低出力点灯工程Ｓ６４９へ進む。
【００５０】
低出力点灯工程Ｓ６４９において、点灯制御部１７３は、放電灯ＬＡを低出力で点灯するよう指示する制御信号（以下「“低出力点灯”」と呼ぶ。）を生成し、出力する。これにより、ドライブ回路１３５は、低出力点灯周波数の高周波交流電圧を生成し、放電灯ＬＡが一番暗く点灯する。状態記憶部１８１は、放電灯ＬＡの点灯状態が低出力点灯であることを表わすデータを記憶する。
【００５１】
変更操作判定工程Ｓ６５０において、点灯制御部１７３は、上述した変更操作判定処理をして、操作内容を判定する。
消灯操作があったと判定した場合、消灯工程Ｓ６５１へ進む。
変更操作があったと判定した場合、高出力点灯工程Ｓ６４５へ進む。
【００５２】
消灯工程Ｓ６５１において、点灯制御部１７３は、放電灯ＬＡを消灯するよう指示する制御信号（以下「“消灯”」と呼ぶ。）を生成し、出力する。これにより、ドライブ回路１３５は、高周波交流電圧の生成を停止し、放電灯ＬＡが消灯する。
【００５３】
変更操作判定工程Ｓ６５２において、点灯制御部１７３は、上述した変更操作判定処理をして、操作内容を判定する。
点灯操作があったと判定した場合、予熱工程Ｓ６４１に戻る。
点灯操作以外の操作があったと判定した場合、変更操作判定工程Ｓ６５２を繰り返す。
【００５４】
図６は、この実施の形態における放電灯点灯装置１００が操作内容を判定する動作の一例を示すタイミング図である。
【００５５】
時刻ｔ１において、利用者が電源スイッチＳＷをオンにし、放電灯点灯装置１００に交流電源ＡＣから交流電圧が供給される。制御電源回路１５０が制御電源電圧を生成して、マイコン１７０が動作を開始する。
【００５６】
放電灯点灯装置１００が入力する交流電圧がゼロクロスするたびに、ダイオードブリッジＤＢが生成する脈流電圧の電圧値が、電源検出回路１６０の電源検出閾値電圧を下回るので、電源検出回路１６０は、電源検出信号“Ｌ”を出力する。オフ期間計測部１７１が電源オフ期間を計測し、オフ操作判定部１７２が最小オフ期間（「Ｔｍｉｎ」）と比較して、電源オフ期間のほうが最小オフ期間よりも短いので、操作なしと判定する。
【００５７】
時刻ｔ２において、利用者が電源スイッチＳＷをオフにしあるいは瞬停により、放電灯点灯装置１００に交流電源ＡＣから交流電圧が供給されなくなる。インバータ回路１３０は、平滑コンデンサＣ２４に充電された電圧を電源としてが高周波交流電圧の生成を続け、放電灯ＬＡは点灯を続ける。また、制御電源回路１５０は、内部のコンデンサに充電された電圧を制御電源電圧として出力し、マイコン１７０も動作を続ける。電源検出回路１６０は、電源検出信号“Ｌ”を出力し、オフ期間計測部１７１が電源オフ期間の計測を始める。
【００５８】
時刻ｔ３において、利用者が電源スイッチＳＷをオンにしあるいは瞬停から回復し、放電灯点灯装置１００に再び交流電源ＡＣから交流電圧が供給される。電源検出回路１６０は、電源検出信号“Ｈ”を出力し、オフ期間計測部１７１が計測した電源オフ期間を、オフ操作判定部１７２が最小オフ期間と比較して、電源オフ期間のほうが最小オフ期間よりも長いので、電源オフ操作があったと判定する。点灯制御部１７３は、１回目の電源オフ操作があったので、経過時間の計測を始める。
【００５９】
時刻ｔ４において、利用者が電源スイッチＳＷをオフにしあるいは瞬停が発生し、すぐに、時刻ｔ５において、利用者が電源スイッチＳＷをオンにしあるいは瞬停から回復する。オフ期間計測部１７１が電源オフ期間を計測し、オフ操作判定部１７２が最小オフ期間と比較して、電源オフ期間のほうが最小オフ期間よりも短いので、操作なしと判定する。実際には、そのような短時間のうちに意図的に電源スイッチＳＷを操作することは困難なので、例えば、間違って電源スイッチＳＷに軽く触れてしまい、一瞬だけ電源スイッチＳＷが切れたような場合である。
【００６０】
その後、操作間隔時間（「Ｔｉｎｔ」）が経過しても、次の電源オフ操作がないので、点灯制御部１７３は、変更操作がなかったと判定する。
【００６１】
時刻ｔ６において、操作入力装置２１０が、利用者の操作を入力し、操作パターン生成部２７１が、変更操作に対応する開閉パターンを生成する。操作パターン生成部２７１が生成した開閉パターンにしたがって、スイッチ装置２３０がオフになり、時刻ｔ７において、スイッチ装置２３０がオンになる。電源オフ期間が最小オフ期間より長いので、オフ操作判定部１７２は、電源オフ操作があったと判定し、点灯制御部１７３は、経過時間の計測を始める。
【００６２】
スイッチ装置２３０は、開閉パターンにしたがって、時刻ｔ８において、オフになり、時刻ｔ９において、オンになる。電源オフ期間が最小オフ期間より長いので、オフ操作判定部１７２は、電源オフ操作があったと判定し、点灯制御部１７３は、操作間隔時間の経過前に電源オフ操作があったので、２回目の電源オフ操作であると判定する。例えば変更操作判定回数が「２」であれば、点灯制御部１７３は、変更操作があったと判定する。
【００６３】
時刻ｔ１０において、利用者が電源スイッチＳＷをオフにする。電源検出回路１６０が電源検出信号“Ｌ”を出力し、オフ期間計測部１７１が電源オフ期間の計測を始める。
時刻ｔ１１において、最大オフ期間（「Ｔｍａｘ」）が経過しても、電源検出信号が“Ｈ”にならないので、オフ操作判定部１７２は、消灯操作があったと判定する。
【００６４】
図７は、この実施の形態における放電灯点灯装置１００が利用者の操作にしたがって放電灯ＬＡの点灯状態を制御する動作の一例を示すタイミング図である。
【００６５】
時刻ｔ１において、利用者が電源スイッチＳＷをオンにし、マイコン１７０が動作を開始する。点灯制御部１７３は、制御信号“予熱”を生成し、インバータ回路１３０が予熱周波数の高周波交流電圧を生成して、放電灯ＬＡのフィラメントを予熱する。
その後、点灯制御部１７３は、制御信号“始動”を生成し、インバータ回路１３０が始動周波数の高周波交流電圧を生成して、放電灯ＬＡの放電を開始する。
状態記憶部１８１が、放電灯ＬＡの前回の点灯状態として、「高出力点灯」を表わすデータを記憶していたとすると、点灯制御部１７３は、制御信号“高出力点灯”を生成し、インバータ回路１３０が高出力点灯周波数の高周波交流電圧を生成して、放電灯ＬＡが一番明るく点灯する。
【００６６】
時刻ｔ２において、利用者が操作入力装置２１０を操作し、放電灯ＬＡの明るさを変更する指令を入力する。操作入力装置２１０は変更指令を入力し、操作パターン生成部２７１は変更操作に対応する開閉パターンを生成し、それにしたがって、スイッチ装置２３０がオンオフする。オフ操作判定部１７２は二回の電源オフ操作を検出し、点灯制御部１７３は、変更操作があったと判定して、制御信号“中出力点灯”を生成する。インバータ回路１３０は、中出力点灯周波数の高周波交流電圧を生成して、放電灯ＬＡが少し暗く点灯する。
【００６７】
時刻ｔ３において、操作入力装置２１０が変更指令を入力し、スイッチ装置２３０が二回オフしたので、点灯制御部１７３は、変更操作があったと判定し、制御信号“低出力点灯”を生成する。インバータ回路１３０は、低出力点灯周波数の高周波交流電圧を生成して、放電灯ＬＡが一番暗く点灯する。
【００６８】
その後、利用者が電源スイッチＳＷを切り、最大オフ期間が過ぎても電源スイッチＳＷが入らないので、時刻ｔ４において、オフ操作判定部１７２は、消灯操作があったと判定し、点灯制御部１７３が制御信号“消灯”を生成する。インバータ回路１３０は、高周波交流電圧の生成を停止し、放電灯ＬＡが消灯する。
【００６９】
時刻ｔ５において、利用者が電源スイッチＳＷを入れ、オフ操作判定部１７２が点灯操作があったと判定する。点灯制御部１７３は、制御信号“予熱”を生成し、インバータ回路１３０が予熱周波数の高周波交流電圧を生成して、放電灯ＬＡのフィラメントを予熱する。
なお、マイコン１７０が動作を停止する前に、点灯操作を検出して放電灯ＬＡのフィラメントを予熱する場合、放電灯ＬＡを消灯してから、あまり時間が経っていないので、点灯制御部１７３は、マイコン１７０が動作を開始したときの予熱時間よりも、予熱時間を短くすることとしてもよい。
その後、点灯制御部１７３は、制御信号“始動”を生成し、インバータ回路１３０が始動周波数の高周波交流電圧を生成して、放電灯ＬＡの放電を開始する。
状態記憶部１８１が、放電灯ＬＡの前回の点灯状態として、「低出力点灯」を表わすデータを記憶しているので、点灯制御部１７３は、制御信号“低出力点灯”を生成し、インバータ回路１３０が低出力点灯周波数の高周波交流電圧を生成して、放電灯ＬＡが一番暗く点灯する。
【００７０】
時刻ｔ６において、操作入力装置２１０が変更指令を入力し、スイッチ装置２３０が二回オフしたので、点灯制御部１７３は、変更操作があったと判定し、制御信号“高出力点灯”を生成する。インバータ回路１３０は、高出力点灯周波数の高周波交流電圧を生成して、放電灯ＬＡが一番明るく点灯する。
【００７１】
以上のように、利用者が操作入力装置２１０を操作することにより、放電灯点灯装置１００に対する指令を入力し、放電灯点灯装置１００は、入力した指令にしたがって、放電灯ＬＡの点灯状態を制御する。
なお、この例では、放電灯ＬＡの点灯状態として、放電灯ＬＡの明るさを三段階に制御する場合を説明したが、放電灯ＬＡの明るさを二段階に制御してもよいし、逆に、もっと多くの段階で制御してもよい。また、放電灯ＬＡの明るさではなく、他の点灯状態を制御することとしてもよい。
また、利用者が変更指令を入力するたびに、放電灯ＬＡの明るさを高出力→中出力→低出力→高出力の順で切り替える制御をする場合について説明したが、切り替えの順序はこれに限らず、低出力→中出力→高出力→低出力であってもよいし、高出力→中出力→低出力→中出力→高出力であってもよいし、他の順序であってもよい。
【００７２】
次に、最大オフ期間について、詳しく述べる。
この実施の形態における放電灯点灯装置１００は、利用者が変更指令を入力した場合、放電灯ＬＡの点灯を継続しながら、放電灯ＬＡの点灯状態を変化させるので、利用者が変更結果をすぐに確認できる。
このため、最大オフ期間は、放電灯点灯装置１００が放電灯ＬＡの点灯を継続できる時間より短くなければならない。
【００７３】
直流電源回路１１０に交流電源ＡＣから交流電圧が入力されなくなると、直流電源回路１１０は、直流電圧の生成を停止する。インバータ回路１３０は、平滑コンデンサＣ２４に充電された電圧を電源として、高周波交流電圧を生成し、放電灯ＬＡを点灯する。
ここで、平滑コンデンサＣ２４の静電容量値をＣ、平滑コンデンサＣ２４から見た負荷である、インバータ回路１３０、コイルＬ４１、コンデンサＣ４３、放電灯ＬＡ、コンデンサＣ４２からなる回路の等価抵抗値をＲとする。直流電源回路１１０が直流電圧の生成を停止したときに平滑コンデンサＣ２４に充電されていた電圧は、直流電源回路１１０が生成していた直流電圧の電圧値ＶＤＣに等しいので、直流電源回路１１０が直流電圧の生成を停止してからの経過時間をｔとすると、平滑コンデンサＣ２４の両端電圧ｖ（ｔ）は、以下のように表わすことができる。
【数２】
2009259542.tif 000003
【００７４】
放電灯ＬＡを一番明るく点灯したときの消費電力値をＷＯＵＴとすると、等価抵抗値Ｒは、以下のように表わすことができる。
【数３】
2009259542.tif 000004
したがって、
【数４】
2009259542.tif 000005
【００７５】
放電灯ＬＡの点灯を継続できる平滑コンデンサＣ２４の両端電圧の最小値（以下「点灯可能最低電圧値」と呼ぶ。）をＶＭＩＮとすると、放電灯ＬＡの点灯を継続できる時間（以下「点灯継続可能時間」と呼ぶ。）ｔは、
【数５】
2009259542.tif 000006
【００７６】
例えば、平滑コンデンサＣ２４の静電容量値Ｃが４７μＦ、直流電源回路１１０が生成する直流電圧の電圧値ＶＤＣが４００Ｖ、放電灯ＬＡの消費電力値ＷＯＵＴが４０Ｗ、点灯可能最低電圧値ＶＭＩＮがＶＤＣの８５％である３４０Ｖだとすると、点灯継続可能時間ｔは、約４０ミリ秒である。
したがって、この場合、最大オフ期間を４０ミリ秒より短く設定する。
【００７７】
点灯継続可能時間ｔは、点灯可能最低電圧値ＶＭＩＮが低ければ長くなる。例えば、上の例において、点灯可能最低電圧値ＶＭＩＮがＶＤＣの５０％である２００Ｖだとすると、点灯継続可能時間ｔは、約１６０ミリ秒に延びる。
【００７８】
従来の放電灯点灯装置は、回路定数のバラツキなどを考慮して、点灯可能最低電圧値ＶＭＩＮは、ＶＤＣの８５％程度になるよう、設計されている。
この実施の形態における放電灯点灯装置１００は、最大オフ期間を例えば０．２秒程度に設定できるようにするため、点灯可能最低電圧値ＶＭＩＮが、通常よりも低く（ＶＤＣの７５％以下、好ましくは５０％程度に）なるよう、設計する。
【００７９】
なお、平滑コンデンサＣ２４の静電容量値Ｃを大きくすることにより、点灯継続可能時間ｔを長くしてもよいが、平滑コンデンサＣ２４の静電容量値Ｃを大きくすると、放電灯点灯装置１００の製造コストが高くなる。
このため、平滑コンデンサＣ２４の静電容量値Ｃを大きくして点灯継続可能時間ｔを長くするのではなく、点灯継続可能時間ｔは変えずに、最大オフ期間を短くするほうが好ましい。
したがって、操作パターン生成部２７１は、所定の操作パターンとして、数５から算出される点灯継続可能時間ｔよりも短いオフ期間を含む開閉パターンを生成することが好ましい。
【００８０】
操作パターン生成部２７１が生成する開閉パターンに含まれるオフ期間の長さに対応して、電源オフ操作を判定する最小オフ期間及び最大オフ期間を決定し、オフ操作判定部１７２に設定する。
ここで、一回のオフ期間が短いと、瞬停やサグと区別するのが難しい場合があるが、この実施の形態における放電灯点灯装置１００は、電源オフ操作が変更操作判定回数繰り返された場合に、変更操作があったと判定するので、変更操作と瞬停やサグとを区別することができる。
【００８１】
また、変更操作と瞬停やサグとを、更に精密に区別するため、例えば、以下のような構成としてもよい。
変更操作判定回数を二回以上とし、オフ操作判定部１７２は、一連のオフ期間のうち、オフ期間の長さが最大のものと最小のもの（どちらも最小オフ期間以上最大オフ期間以下）との差（すなわち、オフ期間の長さのバラツキ）を算出する。オフ期間が照明制御装置２００によるスイッチ装置２３０のオフにより発生したものであれば、オフ期間の長さのバラツキはほとんどなく、瞬停やサグにより発生したものであれば、オフ期間の長さにバラツキがある。オフ操作判定部１７２は、算出したオフ期間の長さのバラツキを所定の閾値と比較して、バラツキが小さければ変更操作であると判定し、バラツキが大きければ変更操作ではないと判定する。
また、変更操作判定回数を三回以上とし、オフ操作判定部１７２は、一連のオフ期間の間にある複数のオン期間の長さが最大のものと最小のものとの差（すなわち、オン期間の長さのバラツキ）を算出し、算出したオン期間の長さのバラツキを所定の閾値と比較して、バラツキが小さければ変更操作であると判定し、バラツキが大きければ変更操作ではないと判定する構成としてもよい。
【００８２】
この実施の形態における点灯装置（放電灯点灯装置１００）は、交流電圧（低周波交流電圧）を入力し、入力した交流電圧から直流電圧を生成する直流電源回路１１０と、上記直流電源回路１１０が生成した直流電圧により充電される平滑コンデンサＣ２４と、上記直流電源回路１１０が交流電圧を入力しているか否かを検出する電源検出回路１６０と、上記電源検出回路１６０が検出した検出結果に基づいて、上記直流電源回路１１０が交流電圧を入力せず、その後、上記直流電源回路１１０が交流電圧を入力した場合に、上記直流電源回路１１０が交流電圧を入力しなかった期間（電源オフ期間）の長さを計測するオフ期間計測部１７１と、上記オフ期間計測部が計測した期間（電源オフ期間）の長さが所定の範囲（電源オフ操作判定範囲）内である場合に、一回の電源オフ操作があったと判定するオフ操作判定部１７２と、上記オフ操作判定部１７２が判定した判定結果に基づいて、所定の期間内に、所定の回数（変更操作判定回数）の電源オフ操作があったと判定した場合に、ランプ（放電灯ＬＡ）の点灯状態を変更する制御信号を生成する点灯制御部１７３と、上記点灯制御部１７３が生成した制御信号に基づいて、上記平滑コンデンサＣ２４に充電された直流電圧から上記ランプ（放電灯ＬＡ）に供給する電力（高周波交流電圧）を生成する点灯回路（インバータ回路１３０）とを有するので、照明制御装置２００がスイッチ装置２３０を短時間オフする電源オフ操作を所定の回数繰り返す操作パターンにより、ランプ（放電灯ＬＡ）の点灯状態を変更する指令を点灯装置（放電灯点灯装置１００）に入力することができるという効果を奏する。
【００８３】
この実施の形態におけるオフ操作判定部１７２は、上記電源オフ操作を判定する所定の範囲（電源オフ操作判定範囲）の上限（最大オフ期間）が、上記点灯回路（インバータ回路１３０）の動作により上記平滑コンデンサＣ２４に充電された電圧が放電して、所定の電圧（点灯可能最低電圧値ＶＭＩＮ）になるまでの時間ｔよりも短い時間なので、電源オフ操作の間、ランプ（放電灯ＬＡ）の点灯を継続することができ、ランプ（放電灯ＬＡ）の点灯状態を変更した結果を、利用者がすぐに目視確認できるという効果を奏する。
【００８４】
この実施の形態におけるオフ操作判定部１７２は、上記電源オフ操作を判定する所定の範囲（電源オフ操作判定範囲）の上限（最大オフ期間）が、数６により算出される時間ｔよりも短い時間なので、電源オフ操作の間、ランプ（放電灯ＬＡ）の点灯を継続することができ、ランプ（放電灯ＬＡ）の点灯状態を変更した結果を、利用者がすぐに目視確認できるという効果を奏する。
【数６】
2009259542.tif 000007
ただし、Ｃは、上記平滑コンデンサの静電容量値。ＶＤＣは、上記直流電源回路が生成する直流電圧の電圧値。ＷＯＵＴは、上記ランプの最大消費電力値。ｅは、自然対数の底。ＶＭＩＮは、上記点灯回路が入力する電圧の、上記ランプの点灯を維持できる最低電圧値である。
【００８５】
この実施の形態における点灯装置（放電灯点灯装置１００）は、上記ランプ（放電灯ＬＡ）の点灯を継続できる上記平滑コンデンサＣ２４の両端電圧の最小値（点灯可能最低電圧値）ＶＭＩＮが、上記直流電源回路１１０が生成する直流電圧の電圧値ＶＤＣの７５％以下となるよう設計されているので、上記電源オフ操作を判定する所定の範囲（電源オフ操作判定範囲）の上限（最大オフ期間）を、長く設定することができるという効果を奏する。
【００８６】
この実施の形態における点灯装置（放電灯点灯装置１００）は、上記点灯制御部１７３が変更したランプ（放電灯ＬＡ）の点灯状態を記憶する状態記憶部１８１を有し、上記点灯制御部１７３は、上記電源検出回路１６０が検出した検出結果に基づいて、上記ランプ（放電灯ＬＡ）が消灯した後に上記直流電源回路１１０が交流電圧の入力を開始した場合に、上記ランプ（放電灯ＬＡ）の点灯状態を、上記状態記憶部１８１が記憶した点灯状態にする制御信号を生成するので、ランプ（放電灯ＬＡ）の点灯状態を一度設定すれば、次回点灯時からは、自動的に同じ点灯状態となり、点灯のたびに利用者が点灯状態を調整する必要がないという効果を奏する。
【００８７】
この実施の形態における照明器具８００は、上記説明した点灯装置（放電灯点灯装置１００）と、上記ランプ（放電灯ＬＡ）を接続するランプ接続部（ランプソケット８１０）とを有するので、照明制御装置２００がスイッチ装置２３９を短時間オフする電源オフ操作を所定の回数繰り返す操作パターンにより、ランプ接続部に接続したランプ（放電灯ＬＡ）の点灯状態を変更する指令を照明器具８００に入力することができるという効果を奏する。
【００８８】
なお、ランプの点灯状態を変更した場合、ランプの明るさの変更であれば、利用者が目視確認できるが、他の点灯状態を変更した場合や、ランプの明るさの変更であっても、その変更幅が小さく、ランプの点灯状態を変更したことを認識できない可能性がある場合には、点灯制御部１７３が、ランプを明滅させる制御信号を生成する。すなわち、点灯制御部１７３は、制御信号“高出力点灯”を生成して、ランプを一番明るく点灯し、すぐに、制御信号“低出力点灯”を生成して、ランプを一番暗く点灯することを、何回か繰り返したのち、変更後の点灯状態に戻す。これにより、照明器具８００がランプの点灯状態を変更したことを、利用者に確実に了知させることができる。
また、点灯制御部１７３は、ランプを明滅させるのではなく、ランプを点滅させてもよい。すなわち、点灯制御部１７３は、制御信号“高出力点灯”を生成して、ランプを点灯し、すぐに、制御信号“消灯”を生成して、ランプを消灯することを、何回か繰り返したのち、変更後の点灯状態に戻す。
ただし、ランプが放電灯である場合は、放電灯を点滅させると放電灯の寿命を短くしてしまうので、点滅ではなく明滅させるほうが好ましい。
【００８９】
この実施の形態における照明制御装置２００は、利用者の操作を入力する操作入力装置２１０と、上記操作入力装置２１０が入力した利用者の操作に基づいて、所定の時間オフしその後オンする開閉パターンを所定の回数繰り返すスイッチ装置２３０とを有するので、利用者が操作入力装置２１０に所望の動作を入力することにより、照明制御装置２００を介して交流電源ＡＣと接続した照明器具８００などの装置を制御することができる。
【００９０】
この実施の形態における照明制御システム８５０は、上記照明制御装置２００と、上記照明制御装置２００のスイッチ装置２３０を介して交流電源ＡＣと接続し、上記交流電源ＡＣから交流電圧を入力する照明器具８００とを有するので、利用者は、操作入力装置２１０に所望の操作を入力するだけで、放電灯ＬＡの点灯状態を変更することができる。
【００９１】
実施の形態２．
実施の形態２について、図８〜図９を用いて説明する。
この実施の形態における照明器具８００の外観、放電灯点灯装置１００の回路構成は、実施の形態１で説明したものと同様なので、ここでは説明を省略する。
【００９２】
実施の形態１では、照明制御装置２００がスイッチ装置２３０を所定のパターンで開閉することにより、放電灯ＬＡの点灯状態を変更する指令を入力し、放電灯ＬＡの点灯状態を順番に変更する場合について説明した。
この実施の形態では、照明制御装置２００によるスイッチ装置２３０の操作パターンを複数用意し、複数種類の指令のなかから利用者が選択した指令を入力する放電灯点灯装置１００について説明する。
【００９３】
図８は、この実施の形態における放電灯点灯装置１００が、変更操作があったかを判定する変更操作判定処理の流れを示すフローチャート図である。
なお、実施の形態１で説明した変更操作判定処理と共通する部分については、同一の符号を付し、ここでは説明を省略する。
【００９４】
間隔判定工程Ｓ６３３において、点灯制御部１７３は、測定開始工程Ｓ６３２で測定を開始した経過時間を、操作間隔時間と比較して、操作間隔時間が経過したか否かを判定する。
操作間隔時間が経過したと判定した場合、回数判定工程Ｓ６３８へ進む。
【００９５】
回数判定工程Ｓ６３８において、点灯制御部１７３は、電源オフ操作の繰り返し回数を、最小オフ回数と比較する。最小オフ回数とは、複数の操作パターンのうち最も電源オフ操作の回数が少ない操作パターンにおける電源オフ操作の回数のことである。
電源オフ操作の繰り返し回数が最小オフ回数未満である場合、操作取得工程Ｓ６３１に戻る。
電源オフ操作の繰り返し回数が最小オフ回数以上である場合、変更判定工程Ｓ６３９へ進む。
【００９６】
回数判定工程Ｓ６３５において、点灯制御部１７３は、電源オフ操作の繰り返し回数を、最大オフ回数と比較する。最大オフ回数とは、複数の操作パターンのうち最も電源オフ操作の回数が多い操作パターンにおける電源オフ操作の回数のことである。
電源オフ操作の繰り返し回数が最大オフ回数未満である場合、測定開始工程Ｓ６３２に戻る。
電源オフ操作の繰り返し回数が最大オフ回数である場合、変更判定工程Ｓ６３９へ進む。
【００９７】
変更判定工程Ｓ６３９において、点灯制御部１７３は、電源オフ操作の繰り返し回数に対応する変更操作があったと判定する。
【００９８】
この例において、複数の操作パターンは、電源オフ操作の繰り返し回数によって区別される。
例えば、電源オフ操作を二回繰り返した場合は、実施の形態１で説明したのと同様、放電灯ＬＡの点灯状態を、次の点灯状態へ順送りに変更する指令（以下「順送り変更操作」と呼ぶ。）を表わす操作パターンとし、電源オフ操作を四回繰り返した場合は、放電灯ＬＡの点灯状態を、所定の点灯状態（例えば高出力点灯あるいは低出力点灯）へ直接変更する指令（以下「直接変更操作」と呼ぶ。）を表わす操作パターンとする。電源オフ操作を三回繰り返す操作パターンは、二つの操作パターンを確実に区別するためのマージンとするため、未定義の操作パターンとし、実際に電源オフ操作を三回繰り返す操作パターンを入力した場合は、電源オフ操作を二回繰り返した場合と同じものとして扱う。
このように、複数種類の操作パターンを、電源オフ操作の繰り返し回数によって区別する場合、瞬停やサグによる誤判定を防ぐため、複数種類の操作パターンにおける繰り返し回数が離れているほうが好ましい。例えば、第一の操作パターンが電源オフ操作を２〜３回繰り返すのであれば、第二の操作パターンは電源オフ操作を５回以上繰り返すものであることが望ましい。しかし、電源オフ操作の繰り返し回数があまり多いと、放電灯点灯装置１００に指令を入力するのに時間がかかるので、多くとも６回以下であることが望ましい。
【００９９】
なお、複数の操作パターンを区別する方式としては、電源オフ操作の繰り返し回数のほか、電源オフ期間の長短により操作パターンを区別することもできる。例えば、一回目の電源オフ操作よりも二回目の電源オフ操作の電源オフ期間のほうが長い場合と、一回目の電源オフ操作よりも二回目の電源オフ操作の電源オフ期間のほうが短い場合とを区別し、異なる指令を表わすものとする。
【０１００】
図９は、この実施の形態における放電灯点灯装置１００が、放電灯ＬＡの点灯消灯を制御する点灯制御処理の流れを示すフローチャート図である。
なお、実施の形態１で説明した点灯制御処理と共通する部分については、同一の符号を付し、ここでは説明を省略する。
【０１０１】
変更操作判定工程Ｓ６４６において、点灯制御部１７３は、変更操作判定処理をする。
順送り変更操作があったと判定した場合、中出力点灯工程Ｓ６４７へ進む。
直接変更操作があったと判定した場合、変更操作判定工程Ｓ６４６を繰り返す。
【０１０２】
変更操作判定工程Ｓ６４８において、点灯制御部１７３は、変更操作判定処理をする。
順送り変更操作があったと判定した場合、低出力点灯工程Ｓ６４９へ進む。
直接変更操作があったと判定した場合、高出力点灯工程Ｓ６４５へ進む。
【０１０３】
変更操作判定工程Ｓ６５０において、点灯制御部１７３は、変更操作判定処理をする。
順送り変更操作または直接変更操作があったと判定した場合、高出力点灯工程Ｓ６４５へ進む。
【０１０４】
以上のように、複数種類の操作パターンを区別することにより、放電灯点灯装置１００が、複数の異なる指令に基づいて、放電灯ＬＡの点灯状態を変更することができる。
ここでは説明を簡単にするため、放電灯ＬＡの点灯状態を三段階で制御する場合について説明しているが、放電灯ＬＡの点灯状態をもっと細かく変えられるようにした場合、順送りに放電灯ＬＡの点灯状態を変更できるだけでは、所望の点灯状態にするのに時間がかかる場合がある。そこで、一回の変更操作で、直接所定の点灯状態に変更する直接変更操作を取り入れることにより、所望の点灯状態を得るために必要な操作の回数を減らすことができる。
なお、複数の指令は、順送り変更操作と直接変更操作との二種類に限らず、例えば、順送り変更操作と逆送り変更操作との二種類であってもよいし、順送り変更操作と逆送り変更操作と直接変更操作との三種類であってもよい。
【０１０５】
この実施の形態における点灯装置（放電灯点灯装置１００）は、スイッチ装置２３０の開閉を、操作パターン生成部２７１が生成したスイッチ開閉信号によって行うので、電源オフ期間の長さなど、細かな操作パターンを容易に区別することができる。このため、照明器具８００は、多数の種類の操作パターンを区別して、放電灯ＬＡの点灯状態を変更できるので、順送り変更操作、逆送り変更操作、各点灯状態に対応する直接変更操作など、多数の操作パターンを用意すれば、全体として、照明器具８００に操作パターンを入力するのにかかる時間を短縮できる。
【０１０６】
また、照明器具８００に対する指令を、電源ラインを通して照明器具８００に伝えるので、指令伝達用の配線が必要ない。
【０１０７】
実施の形態３．
実施の形態３について、図１０を用いて説明する。
【０１０８】
図１０は、この実施の形態における照明制御システム８５０の全体構成を示すブロック構成図である。
なお、実施の形態１で説明した照明器具８００と共通する部分については、同一の符号を付し、ここでは説明を省略する。
【０１０９】
照明制御システム８５０は、複数の照明器具８００を有する。複数の照明器具８００は、一つの交流電源ＡＣに並列に電気接続していて、電源スイッチＳＷの操作により、それぞれの照明器具８００に取り付けられた放電灯ＬＡが一斉に点灯あるいは消灯する。
放電灯点灯装置１００は、放電灯検出回路１９０を有する。放電灯検出回路１９０は、ランプソケット８１０に放電灯ＬＡが接続されているか否かを検出し、検出した結果を表わす放電灯検出信号を生成して、出力する。
【０１１０】
点灯制御部１７３は、放電灯検出回路１９０が生成した放電灯検出信号を入力し、入力した放電灯検出信号が表わす検出結果に基づいて、ランプソケット８１０に放電灯ＬＡが接続されていると判定し、かつ、変更操作があったと判定した場合、放電灯ＬＡの点灯状態を変更する。点灯制御部１７３は、変更操作があったと判定した場合であっても、ランプソケット８１０に放電灯ＬＡが接続されていないと判定した場合には、放電灯ＬＡの点灯状態を変更しない。
【０１１１】
このように、複数の照明器具８００が一つの電源スイッチＳＷに接続している照明制御システム８５０において、放電灯点灯装置１００は、放電灯ＬＡが接続している場合には、電源スイッチＳＷの操作に基づいて、放電灯ＬＡの点灯状態を変更し、放電灯ＬＡが接続していない場合には、放電灯ＬＡの点灯状態を変更しない。
したがって、利用者が点灯状態を変更したくない放電灯ＬＡを外してから、照明制御装置２００を操作して照明器具８００に指令を入力することにより、点灯状態を変更したい放電灯ＬＡの点灯状態だけを変更することができる。
【０１１２】
なお、ランプソケット８１０に放電灯ＬＡが接続されていない場合であっても、点灯制御部１７３が、放電灯ＬＡの点灯状態を変更する構成としてもよい。放電灯ＬＡが接続されていない場合は、回路を保護するため、点灯制御部１７３は、制御信号“消灯”を生成している。したがって、点灯制御部１７３は、状態記憶部１８１が記憶した放電灯ＬＡの点灯状態を変更するに留める。
【０１１３】
あるいは、放電灯検出回路１９０が生成した放電灯検出信号に基づいて、点灯制御部１７３が、所定の時間以上放電灯ＬＡが接続されていないことを検出した場合、放電灯ＬＡの点灯状態を所定の初期状態（例えば高出力点灯）に戻す構成としてもよい。
【０１１４】
実施の形態４．
実施の形態４について、図１１を用いて説明する。
【０１１５】
図１１は、この実施の形態における照明制御システム８５０の全体構成を示すブロック構成図である。
なお、実施の形態１で説明した照明制御システム８５０と共通する部分については、ここでは説明を省略する。
【０１１６】
照明制御システム８５０は、更に、照明制御装置２００を有さない。
この実施の形態における照明制御システム８５０では、利用者が電源スイッチＳＷをオンオフすることにより、実施の形態１における照明制御装置２００が生成するスイッチ装置２３０の開閉パターンと同様の操作パターンを生成し、放電灯点灯装置１００は、利用者による電源スイッチＳＷの操作に基づいて、放電灯ＬＡの明るさなどの点灯状態を変更する。
【０１１７】
利用者の手操作により操作パターンを生成する場合、あまり速く電源スイッチＳＷをオンオフすることはできないので、オフ期間の長さを０．５秒〜数秒程度にする。このため、最大オフ期間を数秒程度にする必要があり、点灯継続可能時間ｔが、それ以上の値になるように設定する。
例えば、平滑コンデンサＣ２４の静電容量値Ｃを大きくすれば、点灯継続可能時間ｔを長くすることができる。また、二次電池を内蔵する場合には、平滑コンデンサＣ２４の静電容量値Ｃが小さくても、二次電池に充電された電圧により放電灯ＬＡを点灯できるので、点灯継続可能時間ｔを長くすることができる。
【０１１８】
なお、この場合において、点灯継続可能時間ｔが、例えば、数十秒〜数分であるとしても、最大オフ期間は数秒程度であることが好ましい。上述したように、利用者が放電灯ＬＡを消灯しようとして電源スイッチＳＷをオフにした場合であっても、最大オフ期間が経過するまでは、点灯状態を変更するための変更操作と区別できないため、放電灯ＬＡの消灯が遅れるからである。
【図面の簡単な説明】
【０１１９】
【図１】実施の形態１における照明器具８００の外観を示す斜視図。
【図２】実施の形態１における照明制御システム８５０の全体構成を示すブロック構成図。
【図３】実施の形態１における放電灯点灯装置１００が操作内容を判定する操作判定処理の流れを示すフローチャート図。
【図４】実施の形態１における放電灯点灯装置１００が、変更操作があったかを判定する変更操作判定処理の流れを示すフローチャート図。
【図５】実施の形態１における放電灯点灯装置１００が放電灯ＬＡの点灯消灯を制御する点灯制御処理の流れを示すフローチャート図。
【図６】実施の形態１における放電灯点灯装置１００が操作内容を判定する動作の一例を示すタイミング図。
【図７】実施の形態１における放電灯点灯装置１００が利用者の操作にしたがって放電灯ＬＡの点灯状態を制御する動作の一例を示すタイミング図。
【図８】実施の形態２における放電灯点灯装置１００が、変更操作があったかを判定する変更操作判定処理の流れを示すフローチャート図。
【図９】実施の形態２における放電灯点灯装置１００が、放電灯ＬＡの点灯消灯を制御する点灯制御処理の流れを示すフローチャート図。
【図１０】実施の形態３における照明制御システム８５０の全体構成を示すブロック構成図。
【図１１】実施の形態４における照明制御システム８５０の全体構成を示すブロック構成図。
【符号の説明】
【０１２０】
１００  放電灯点灯装置、１１０  直流電源回路、１３０  インバータ回路、１３５  ドライブ回路、１５０，２５０  制御電源回路、１６０  電源検出回路、１７０，２７０  マイコン、１７１  オフ期間計測部、１７２  オフ操作判定部、１７３  点灯制御部、１８０  不揮発性メモリ、１８１  状態記憶部、１９０  放電灯検出回路、２００  照明制御装置、２１０  操作入力装置、２３０  スイッチ装置、２７１  操作パターン生成部、８００  照明器具、８１０  ランプソケット、８５０  照明制御システム、ＡＣ  交流電源、Ｃ２４  平滑コンデンサ、Ｃ４２，Ｃ４３  コンデンサ、Ｄ２３  ダイオード、ＤＢ  ダイオードブリッジ、Ｌ２１，Ｌ４１  コイル、ＬＡ  放電灯、ＰＦＣ  昇圧制御回路、Ｑ２２，Ｑ３１，Ｑ３２  スイッチング素子、ＳＷ  電源スイッチ。
【図１】
2009259542.tif 000009
【図２】
2009259542.tif 000010
【図３】
2009259542.tif 000011
【図４】
2009259542.tif 000012
【図５】
2009259542.tif 000013
【図６】
2009259542.tif 000014
【図７】
2009259542.tif 000015
【図８】
2009259542.tif 000016
【図９】
2009259542.tif 000017
【図１０】
2009259542.tif 000018
【図１１】
2009259542.tif 000019